(57)【要約】【課題】撮像画像を利用する際に個人情報に関する位置情報が他人に知られることを防止する。【解決手段】撮像データ生成部１１０は、撮像画像データを生成する。位置情報取得部１７１は、撮像画像データが生成された際における位置情報を取得する。領域判定部３２０は、他人に位置情報が知られたくない領域である位置情報変換領域内にその位置情報の示す位置が含まれるか否かを判定する。位置情報変換部３３０は、その位置情報が位置情報変換領域内に含まれると判定された場合には、その位置情報とは異なる位置を示す位置情報に変換する。記録制御部３４０は、位置情報変換部３３０からの変換された位置情報と、撮像データ生成部１１０により生成された撮像画像データとを関連付けた画像ファイルを記録媒体２２０に記録させるように媒体制御部２１０を制御する。【選択図】図２
2010045699.tif 000002
【特許請求の範囲】
【請求項１】
被写体を撮像することにより撮像データを生成する撮像データ生成部と、
前記撮像データが生成された位置を示す位置情報を取得する位置情報取得部と、
前記取得された位置情報を変換するための位置情報変換領域に前記取得された位置情報により示される位置が含まれるか否かを判定する領域判定部と、
前記領域判定部により前記位置情報変換領域に含まれると判定された場合には前記取得された位置情報により示される位置とは異なる位置を示す位置情報に前記取得された位置情報を変換する位置情報変換部と、
前記生成された撮像データを記録する際に前記位置情報変換部により変換された位置情報を関連付けて記録させるように制御する記録制御部と
を具備する撮像装置。
【請求項２】
前記位置情報変換部は、前記取得された位置情報により示される位置を移動させるための変位を用いて前記取得された位置情報を前記異なる位置を示す位置情報に変換する請求項１記載の撮像装置。
【請求項３】
前記位置情報変換部は、前記位置情報変換領域において前記異なる位置を示す位置情報を乱数に基づいて生成する請求項１記載の撮像装置。
【請求項４】
前記取得された位置情報の履歴を保持する位置情報履歴保持部をさらに具備し、
前記位置情報変換部は、前記位置情報履歴部により保持される位置情報の履歴によって規定される履歴領域において前記異なる位置を示す位置情報を乱数に基づいて生成する請求項１記載の撮像装置。
【請求項５】
前記取得された位置情報の履歴を保持する位置情報履歴保持部をさらに具備し、
前記位置情報変換部は、前記位置情報履歴部により保持される位置情報の履歴によって規定される履歴領域と前記位置情報変換領域とを含む拡張領域において前記異なる位置を示す位置情報を乱数に基づいて生成する請求項１記載の撮像装置。
【請求項６】
前記取得された位置情報に暗号化処理を施す暗号化処理部をさらに具備し、
前記記録制御部は、前記領域判定部により前記位置情報変換領域に含まれると判定された場合には前記生成された撮像データを記録する際に前記位置情報変換部により変換された位置情報および前記暗号化処理部により暗号化された位置情報を関連付けて記録させるように制御する
請求項１記載の撮像装置。
【請求項７】
前記暗号化処理部は、前記暗号化された位置情報と前記取得された位置情報とを関連付けた対応表を生成する請求項６記載の撮像装置。
【請求項８】
パスワードを受け付けるパスワード受付部をさらに具備し、
前記暗号化処理部は、前記パスワード受付部により受け付けられたパスワードに基づいて生成した暗号鍵を用いて前記暗号化された位置情報を生成する請求項６記載の撮像装置。
【請求項９】
被写体を撮像することにより生成された撮像データと前記撮像データが生成された位置を示す位置情報とが関連付けられた撮像ファイルを記録媒体から読み出すように制御するファイル読出制御部と、
前記ファイル読出制御部により読み出された撮像ファイルにおける位置情報を抽出する位置情報抽出部と、
前記抽出された位置情報を変換するための位置情報変換領域に前記抽出された位置情報により示される位置が含まれるか否かを判定する領域判定部と、
前記領域判定部により前記位置情報変換領域に含まれると判定された場合には前記抽出された位置情報により示される位置とは異なる位置を示す位置情報に前記抽出された位置情報を変換する位置情報変換部と、
前記読み出された撮像ファイルを記録する際に前記読み出された撮像ファイルにおける撮像データと前記位置情報変換部により変換された位置情報とを関連付けて記録させるように制御する記録制御部と
を具備する情報記録装置。
【請求項１０】
前記記録制御部により関連付けられた撮像データと前記位置情報変換部により変換された位置情報とを送信させるように制御する送信制御部をさらに具備する請求項９記載の情報記録装置。
【請求項１１】
被写体を撮像することにより撮像データを生成する撮像データ生成手順と、
前記撮像データが生成された位置を示す位置情報を取得する位置情報取得手順と、
前記取得された位置情報を変換するための位置情報変換領域に前記取得された位置情報により示される位置が含まれるか否かを判定する領域判定手順と、
前記領域判定手順により前記位置情報変換領域に含まれると判定された場合には前記取得された位置情報により示される位置とは異なる位置を示す位置情報に前記取得された位置情報を変換する位置情報変換手順と、
前記生成された撮像データを記録する際に前記位置情報変換手順により変換された位置情報を関連付けて記録させるように制御する記録制御手順と
を具備する位置情報変換方法。
【請求項１２】
被写体を撮像することにより生成された撮像データと前記撮像データが生成された位置を示す位置情報とが関連付けられた撮像ファイルを記録媒体から読み出すように制御するファイル読出制御手順と、
前記ファイル読出制御手順により読み出された撮像ファイルにおける位置情報を抽出する位置情報抽出手順と、
前記抽出された位置情報を変換するための位置情報変換領域に前記抽出された位置情報により示される位置が含まれるか否かを判定する領域判定手順と、
前記領域判定部により前記位置情報変換領域に含まれると判定された場合には前記抽出された位置情報により示される位置とは異なる位置を示す位置情報に前記抽出された位置情報を変換する位置情報変換手順と、
前記読み出された撮像ファイルを記録する際に前記読み出された撮像ファイルにおける撮像データと前記位置情報変換手順により変換された位置情報とを関連付けて記録させるように制御する記録制御手順と
を具備する位置情報変換方法。
【請求項１３】
被写体を撮像することにより撮像データを生成する撮像データ生成手順と、
前記撮像データが生成された位置を示す位置情報を取得する位置情報取得手順と、
前記取得された位置情報を変換するための位置情報変換領域に前記取得された位置情報により示される位置が含まれるか否かを判定する領域判定手順と、
前記領域判定手順により前記位置情報変換領域に含まれると判定された場合には前記取得された位置情報により示される位置とは異なる位置を示す位置情報に前記取得された位置情報を変換する位置情報変換手順と、
前記生成された撮像データを記録する際に前記位置情報変換手順により変換された位置情報を関連付けて記録させるように制御する記録制御手順と
をコンピュータに実行させるプログラム。
【請求項１４】
被写体を撮像することにより生成された撮像データと前記撮像データが生成された位置を示す位置情報とが関連付けられた撮像ファイルを記録媒体から読み出すように制御するファイル読出制御手順と、
前記ファイル読出制御手順により読み出された撮像ファイルにおける位置情報を抽出する位置情報抽出手順と、
前記抽出された位置情報を変換するための位置情報変換領域に前記抽出された位置情報により示される位置が含まれるか否かを判定する領域判定手順と、
前記領域判定部により前記位置情報変換領域に含まれると判定された場合には前記抽出された位置情報により示される位置とは異なる位置を示す位置情報に前記抽出された位置情報を変換する位置情報変換手順と、
前記読み出された撮像ファイルを記録する際に前記読み出された撮像ファイルにおける撮像データと前記位置情報変換手順により変換された位置情報とを関連付けて記録させるように制御する記録制御手順と
をコンピュータに実行させるプログラム。
【発明の詳細な説明】
【技術分野】
【０００１】
本発明は、情報記録装置に関し、特に、撮像データに位置情報を関連付けて記録する情報記録装置、撮像装置、および、これらにおける位置情報変換方法ならびに当該方法をコンピュータに実行させるプログラムに関する。
【背景技術】
【０００２】
従来、コンテンツを記録する情報記録装置として、例えば、人物等の被写体を撮像して撮像画像を記録するデジタルスチルカメラ等の撮像装置が存在する。また、撮像装置により記録された撮像画像を、インターネット等のネットワークや記録媒体を用いて、撮影者以外の他人に渡すことが広く行われている。さらに、撮像装置により記録された撮像画像を、インターネット上のＷｅｂサイト等を利用して公開することも広く行われている。
【０００３】
また、近年では、ＧＰＳ（Global Positioning System）を用いて位置情報を取得し、この位置情報を撮像画像に付加して記録するデジタルスチルカメラが提案されている（例えば、特許文献１参照。）。このように撮像画像に位置情報を付加することにより、この撮像画像を取得したユーザが、この撮像画像の撮影が行われた場所を知ることができる。
【０００４】
例えば、上述の従来技術を用いてユーザの自宅で撮影が行われた場合には、そのユーザの自宅の住所等の個人情報が位置情報として撮像画像に付加されることがある。このような自宅の住所等の個人情報は、ユーザの知り合い以外の人にはあまり知られたくない情報であると考えられる。しかしながら、個人情報が位置情報として付加された撮像画像がＷｅｂサイト等を利用して公開された場合には、その撮像画像に付加された位置情報を第三者が知ることができる状態となる。
【０００５】
そこで、他人には知られたくない個人情報が付加されている画像ファイルを外部装置に送信する際に、その個人情報をユーザ操作により削除してから画像ファイルを送信するコンテンツデータ処理装置が提案されている（例えば、特許文献２参照。）。
【特許文献１】特開２０００−２６１７０４号公報（図１）
【特許文献２】特開２００７−８８７５４号公報（図１）
【発明の開示】
【発明が解決しようとする課題】
【０００６】
上述の従来技術によれば、例えば、他人には知られたくない位置情報が付加された撮像画像をＷｅｂサイト等を利用して公開する場合に、その位置情報をユーザ操作により削除してから公開することができる。これにより、その撮像画像に付加された位置情報が他人に知られることを防止することができる。しかしながら、例えば、複数の撮像画像のうち一部の撮像画像においてのみ位置情報を削除した場合には、他の撮像画像に付加された位置情報と対比されることにより、削除した位置情報が第三者に類推されるおそれがある。
【０００７】
本発明はこのような状況に鑑みてなされたものであり、撮像画像を利用する際に個人情報に関する位置情報が他人に知られることを防止することを目的とする。
【課題を解決するための手段】
【０００８】
本発明は、上記課題を解決するためになされたものであり、その第１の側面は、被写体を撮像することにより撮像データを生成する撮像データ生成部と、上記撮像データが生成された位置を示す位置情報を取得する位置情報取得部と、上記取得された位置情報を変換するための位置情報変換領域に上記取得された位置情報により示される位置が含まれるか否かを判定する領域判定部と、上記領域判定部により上記位置情報変換領域に含まれると判定された場合には上記取得された位置情報により示される位置とは異なる位置を示す位置情報に上記取得された位置情報を変換する位置情報変換部と、上記生成された撮像データを記録する際に上記位置情報変換部により変換された位置情報を関連付けて記録させるように制御する記録制御部とを具備する撮像装置およびその処理方法ならびに当該方法をコンピュータに実行させるプログラムである。これにより、取得された位置情報により示される位置が位置情報変換領域に含まれる場合には、取得された位置情報の示す位置とは異なる位置を示す位置情報に変換させるという作用をもたらす。
【０００９】
また、この第１の側面において、上記位置情報変換部は、上記取得された位置情報により示される位置を移動させるための変位を用いて上記取得された位置情報を上記異なる位置を示す位置情報に変換するようにしてもよい。これにより、位置情報取得部により取得された位置情報により示される位置を移動させるための変位を用いてその取得された位置情報の示す位置とは異なる位置を示す位置情報に変換させるという作用をもたらす。
【００１０】
また、この第１の側面において、上記位置情報変換部は、上記位置情報変換領域において上記異なる位置を示す位置情報を乱数に基づいて生成するようにしてもよい。これにより、位置情報変換領域において上記異なる位置を示す位置情報を乱数に基づいて生成させるという作用をもたらす。
【００１１】
また、この第１の側面において、上記取得された位置情報の履歴を保持する位置情報履歴保持部をさらに具備し、上記位置情報変換部は、上記位置情報履歴部により保持される位置情報の履歴によって規定される履歴領域において上記異なる位置を示す位置情報を乱数に基づいて生成するようにしてもよい。これにより、取得された位置情報の履歴によって規定される履歴領域において上記異なる位置を示す位置情報を乱数に基づいて生成させるという作用をもたらす。
【００１２】
また、この第１の側面において、上記位置情報変換部は、上記位置情報履歴部により保持される位置情報の履歴によって規定される履歴領域と上記位置情報変換領域とを含む拡張領域において上記異なる位置を示す位置情報を乱数に基づいて生成するようにしてもよい。これにより、位置情報履歴部により保持される位置情報の履歴によって規定される履歴領域と位置情報変換領域とを含む拡張領域において上記異なる位置を示す位置情報を乱数に基づいて生成させるという作用をもたらす。
【００１３】
また、この第１の側面において、上記取得された位置情報に暗号化処理を施す暗号化処理部をさらに具備し、上記記録制御部は、上記領域判定部により上記位置情報変換領域に含まれると判定された場合には上記生成された撮像データを記録する際に上記位置情報変換部により変換された位置情報および上記暗号化処理部により暗号化された位置情報を関連付けて記録させるように制御するようにしてもよい。これにより、領域判定部により位置情報変換領域に含まれると判定された場合には撮像データを記録する際に位置情報変換部により変換された位置情報および暗号化処理部により暗号化された位置情報を関連付けて記録させるという作用をもたらす。この場合において、上記暗号化処理部は、上記暗号化された情報と上記取得された位置情報とを関連付けた対応表を生成するようにしてもよい。これにより、暗号化された位置情報と取得された位置情報とを関連付けた対応表を生成させるという作用をもたらす。
【００１４】
また、上記取得された位置情報に暗号化処理を施す暗号化処理部をさらに具備し、上記記録制御部は、上記領域判定部により上記位置情報変換領域に含まれると判定された場合には上記生成された撮像データを記録する際に上記位置情報変換部により変換された位置情報および上記暗号化処理部により暗号化された位置情報を関連付けて記録させるように制御する場合において、パスワードを受け付けるパスワード受付部をさらに具備し、上記暗号化処理部は、上記パスワード受付部により受け付けられたパスワードに基づいて生成した暗号鍵を用いて上記暗号化された位置情報を生成するようにしてもよい。これにより、パスワードに基づいて生成した暗号鍵を用いて暗号化された位置情報を生成させるという作用をもたらす。
【００１５】
また、本発明の第２の側面は、被写体を撮像することにより生成された撮像データと上記撮像データが生成された位置を示す位置情報とが関連付けられた撮像ファイルを記録媒体から読み出すように制御するファイル読出制御部と、上記ファイル読出制御部により読み出された撮像ファイルにおける位置情報を抽出する位置情報抽出部と、上記抽出された位置情報を変換するための位置情報変換領域に上記抽出された位置情報により示される位置が含まれるか否かを判定する領域判定部と、上記領域判定部により上記位置情報変換領域に含まれると判定された場合には上記抽出された位置情報により示される位置とは異なる位置を示す位置情報に上記抽出された位置情報を変換する位置情報変換部と、上記読み出された撮像ファイルを記録する際に上記読み出された撮像ファイルにおける撮像データと上記位置情報変換部により変換された位置情報とを関連付けて記録させるように制御する記録制御部とを具備する情報記録装置およびその処理方法ならびに当該方法をコンピュータにより実行させるプログラムである。
【００１６】
また、この第２の側面において、上記記録制御部により関連付けられた撮像データと上記位置情報変換部により変換された位置情報とを送信させるように制御する送信制御部をさらに具備するようにしてもよい。これにより、記録制御部により関連付けられた撮像データと位置情報変換部により変換された位置情報とを送信させるという作用をもたらす。
【発明の効果】
【００１７】
本発明によれば、撮像画像を利用する際に個人情報に関する位置情報が他人に知られることを防止することができるという優れた効果を奏し得る。
【発明を実施するための最良の形態】
【００１８】
次に本発明の実施の形態について図面を参照して詳細に説明する。
【００１９】
図１は、本発明の実施の形態における撮像装置の一構成例を示すブロック図である。撮像装置１００は、撮像データ生成部１１０と、撮像制御部１２０と、画像入出力インターフェース１３０と、表示部１４０と、音声入出力インターフェース１５０と、音声処理部１６０と、センサ１７０とを備える。また、撮像装置１００は、ＲＡＭ（Random Access Memory）１８０と、ＲＯＭ（Read Only Memory）１９０と、媒体制御部２１０と、記録媒体２２０と、通信部２３０と、操作受付部２４０と、プロセッサ３００とを備える。
【００２０】
撮像データ生成部１１０は、被写体を撮像することにより撮像画像データを生成するものである。この撮像画像データは、静止画像データまたは動画データを意味するものである。なお、撮像データ生成部１１０は、特許請求の範囲に記載の撮像データ生成部の一例である。
【００２１】
この撮像データ生成部１１０は、光学レンズ１１１と、撮像素子１１２と、画像信号処理部１１３とを備える。光学レンズ１１１は、被写体からの光を集光する複数のレンズから構成される。この光学レンズ１１１は、入射された被写体からの光をこれらのレンズおよびアイリスを介して撮像素子１１２に出力する。
【００２２】
撮像素子１１２は、プロセッサ３００の制御に基づいて、光学レンズ１１１を介して入射された被写体からの光信号をアナログの画像信号に光電変換するものである。この撮像素子１１２は、その光電変換されたアナログの画像信号を画像信号処理部１１３に供給する。この撮像素子１１２は、例えば、ＣＣＤ（Charge Coupled Device）センサやＣＭＯＳ（Complementary Metal Oxide Semiconductor）センサ等により実現することができる。
【００２３】
画像信号処理部１１３は、プロセッサ３００の制御に基づいて、撮像素子１１２により供給されたアナログの画像信号に対して所定の信号処理を施すものである。すなわち、画像信号処理部１１３は、撮像素子１１２から供給されたアナログの画像信号についてノイズ除去等のアナログ信号処理を施して、このアナログ信号処理が施された画像信号をＡ／Ｄ（Analog/Digital）変換する。そして、画像信号処理部１１３は、そのＡ／Ｄ変換により得られるデジタル信号について輪郭強調、ガンマ補正、フリッカ除去等のデジタル信号処理を施して撮像画像データを生成する。また、この画像信号処理部１１３は、その生成された撮像画像データを表示部１４０および画像入出力インターフェース１３０に供給する。
【００２４】
撮像制御部１２０は、プロセッサ３００の制御に基づいて光学レンズ１１１を制御するものである。
【００２５】
画像入出力インターフェース１３０は、撮像装置１００と外部装置との間の撮像画像データの受け渡しを行うものである。この画像入出力インターフェース１３０は、外部装置からの撮像画像データを画像信号処理部１１３に供給する。また、この画像入出力インターフェース１３０は、画像信号処理部１１３により生成された撮像画像データを外部装置に出力する。
【００２６】
表示部１４０は、画像信号処理部１１３により生成された撮像画像データを画像として表示するものである。この表示部１４０は、例えば、ＬＣＤ（Liquid Crystal Display）により実現することができる。
【００２７】
音声入出力インターフェース１５０は、撮像装置１００と外部装置との間の音声信号の受け渡しを行うものである。この音声入出力インターフェース１５０は、外部装置からの音声信号を音声処理部１６０に供給する。また、この音声入出力インターフェース１５０は、音声処理部１６０からの音声信号を外部装置に出力する。
【００２８】
音声処理部１６０は、外部装置からの音声信号を所定のデジタル信号に変換するものである。この音声処理部１６０は、その変換されたデジタル信号をプロセッサ３００に供給する。
【００２９】
センサ１７０は、複数のセンサから構成されるものである。このセンサ１７０は、例えば、位置情報を取得するセンサを備える。
【００３０】
ＲＡＭ１８０は、プロセッサ３００のメインメモリに用いられるメモリである。このＲＡＭ１８０は、プロセッサ３００において実行されるプログラムの作業領域等を備える。ＲＯＭ１９０は、読み出し専用のメモリであり、各種制御プログラム等を記憶するものである。
【００３１】
媒体制御部２１０は、プロセッサ３００の制御に基づいて、撮像データ生成部１１０により生成された撮像画像データおよび位置情報等を記録媒体２２０に記録するものである。また、この媒体制御部２１０は、記録媒体２２０に記録されたデータを読み出す。
【００３２】
記録媒体２２０は、撮像画像データおよび位置情報等を保存するものである。ここで、記録媒体２２０には、例えば、ＪＰＥＧ（Joint Photographic Experts Group）形式の画像ファイル等の各種データが記録される。また、記録媒体２２０は、例えば、メモリカード、光ディスク、磁気ディスク、磁気テープ等により実現することができる。なお、この記録媒体２２０は、撮像装置１００から着脱可能とするようにしてもよい。
【００３３】
通信部２３０は、撮像装置１００と外部装置との間の通信を行うものである。この通信部２３０は、例えば、ＬＡＮ（Local Area Network）ケーブル、または、ＵＳＢ（Universal Serial Bus）ケーブルなどの有線ケーブルを介して有線通信を行う。また、通信部２３０は、例えば、ＩＥＥＥ８０２．１１ａ/ｂ/ｇ、または、Ｂｌｕｅｔｏｏｔｈ（登録商標）などの無線通信を行う。
【００３４】
操作受付部２４０は、撮像装置１００の撮像者による各種設定等の操作内容を受け付けるものである。この操作受付部２４０は、これらの操作内容に応じた信号をプロセッサ３００に供給する。撮像装置１００には、操作受付部２４０として、例えば、撮像画像の記録動作を開始するためのシャッターボタンが備えられる。
【００３５】
プロセッサ３００は、ＲＯＭ１９０に記憶されている各種制御プログラムに基づいて、画像信号処理部１１３、撮像制御部１２０、音声処理部１６０、媒体制御部２１０および通信部２３０を制御するものである。また、プロセッサ３００は、操作受付部２４０により受け付けられた操作入力等に基づいて、画像信号処理部１１３、撮像制御部１２０、音声処理部１６０、媒体制御部２１０および通信部２３０を制御する。
【００３６】
図２は、本発明の実施の形態における撮像装置１００の第１の実施例の撮像時における機能構成を示すブロック図である。ここでは、撮像データ生成部１１０と、位置情報取得部１７１と、媒体制御部２１０と、記録媒体２２０と、位置情報変換領域受付部２４１と、シャッターボタン２４２と、プロセッサ３００とが示されている。プロセッサ３００は、位置情報変換領域保持部３１０と、領域判定部３２０と、位置情報変換部３３０と、記録制御部３４０と、位置情報履歴保持部３５０とを備える。なお、撮像データ生成部１１０、媒体制御部２１０および記録媒体２２０は、図１と同様のものであるため、ここでの説明を省略する。
【００３７】
位置情報取得部１７１は、撮像画像データが生成される際に撮像装置１００の位置を示す位置情報を取得するものである。この位置情報取得部１７１は、例えば、ＧＰＳ信号受信アンテナにより受信されたＧＰＳ信号に基づいて位置情報を算出する。そして、この位置情報取得部１７１は、算出された位置情報をプロセッサ３００に供給する。なお、この算出された位置情報には、緯度、経度等の位置に関する情報が含まれる。また、位置情報取得部１７１は、図１に示すセンサ１７０に対応する。また、位置情報取得部１７１は、特許請求の範囲に記載の位置情報取得部の一例である。
【００３８】
位置情報変換領域受付部２４１は、撮像者により設定される位置情報変換領域を受け付けるものである。ここにいう位置情報変換領域とは、例えば、個人のプライバシーや個人情報に関する領域であり、撮像者が第三者に知られたくない位置を含む領域である。この位置情報変換領域として、例えば、自宅、勤務先、通勤・通学経路、保育園、幼稚園、小学校、中学校、高校、大学等の子供の学校、交際相手の家、実家等を含む領域が挙げられる。
【００３９】
位置情報変換領域保持部３１０は、位置情報変換領域受付部２４１により受け付けられた位置情報変換領域を保持するものである。この位置情報変換領域保持部３１０は、その保持された位置情報変換領域を領域判定部３２０に供給する。
【００４０】
領域判定部３２０は、位置情報取得部１７１により取得された位置情報により示される位置が、位置情報変換領域保持部３１０に保持される位置情報変換領域に含まれるか否かを判定するものである。この領域判定部３２０は、その判定結果を位置情報変換部３３０に供給する。なお、領域判定部３２０は、特許請求の範囲に記載の領域判定部の一例である。
【００４１】
位置情報変換部３３０は、位置情報取得部１７１により取得された位置情報を、その位置情報により示される位置とは異なる位置を示す位置情報に変換するものである。この位置情報変換部３３０は、領域判定部３２０により位置情報変換領域に含まれると判定された場合には、その変換された位置情報を記録制御部３４０に供給する。一方、この位置情報変換部３３０は、領域判定部３２０により位置情報変換領域に含まれないと判定された場合には、位置情報取得部１７１により取得された位置情報を変換することなく、そのまま記録制御部３４０に供給する。
【００４２】
この位置情報変換部３３０は、例えば、信号線３３１からの位置情報に示される位置を移動させるための変位を用いてその位置情報を変換する。この場合、位置情報変換部３３０は、位置情報取得部１７１により取得された位置情報における緯度および経度の少なくとも一方に所定の値を加算または減算することによって位置情報を変換する。
【００４３】
なお、この例では、変換に用いられる所定の値の大きさ、または、撮像される位置によっては、位置情報変換部３３０により変換された位置情報が不自然な位置、例えば、海上を示すような場合も想定される。そのため、変換された位置情報の示す位置が一定の領域に限られるように位置情報を変換するようにしてもよい。この場合、位置情報変換部３３０は、例えば、信号線３３２を介して供給される位置情報変換領域において位置情報を変換する。そのために、位置情報変換部３３０は、緯度および経度のそれぞれに対応する乱数を発生させ、これらの乱数に基づいて位置情報変換領域内を示す位置情報を生成する。これにより、変換された位置情報が不自然な位置を示すことを防止することができる。さらに、位置情報取得部１７１により取得された位置情報と、変換された位置情報とが同じ位置を示す場合には、再度、乱数を発生させて位置情報を生成するようにしてもよい。
【００４４】
なお、この例では、変換された位置情報により示される位置を制限する一定の領域として、位置情報変換領域を用いる例について述べたが、過去の撮像時における位置情報の履歴に基づいて規定される位置情報履歴領域を用いて位置情報を変換するようにしてもよい。この場合、位置情報変換部３３０は、位置情報履歴保持部３５０に保持された位置情報の履歴に基づいて位置情報履歴領域を規定し、その規定された位置情報履歴領域において位置情報を変換する。なお、位置情報変換部３３０は、シャッターボタン２４２が押下された場合には、位置情報取得部１７１からの位置情報を位置情報履歴保持部３５０に供給する
【００４５】
この位置情報変換部３３０は、例えば、位置情報履歴保持部３５０に保持された位置情報のうち、経度における最大値および最小値と、緯度における最大値および最小値とを抽出し、これらの値を用いて矩形の領域を位置情報履歴領域として規定する。そして、位置情報変換部３３０は、緯度および経度に対応する乱数を発生させ、これらの乱数に基づいて位置情報履歴領域内を示す位置情報を生成する。これにより、変換された位置情報が位置情報履歴領域内を示すことによって、他の撮像画像における位置情報と対比される場合であっても、位置情報が変換されたことを第三者に類推され難くすることができる。
【００４６】
なお、上述のとおり、変換された位置情報の示す位置を制限する一定の領域として位置情報変換領域または位置情報履歴領域を用いる例について説明したが、これら両方の領域を網羅する矩形領域を拡張領域として規定し、その拡張領域を用いるようにしてもよい。これにより、不自然な位置を示す位置情報にならない程度に、変換後の位置情報の示す位置の領域を拡張することができるようになる。また、位置情報変換部３３０は、特許請求の範囲に記載の位置情報変換部の一例である。
【００４７】
記録制御部３４０は、シャッターボタン２４２が押下されると、画像ファイルを生成して、この画像ファイルを記録媒体２２０に記録させるよう媒体制御部を制御するものである。この記録制御部３４０は、撮像データ生成部１１０から供給された撮像画像データと位置情報変換部３３０により供給された位置情報とを関連付けて画像ファイルを生成する。なお、画像ファイルとは、静止画像ファイルまたは動画ファイルを意味する。また、記録制御部３４０は、特許請求の範囲に記載の記録制御部の一例である。
【００４８】
位置情報履歴保持部３５０は、位置情報取得部１７１により取得された位置情報を保持するものである。すなわち、位置情報履歴保持部３５０は、過去の撮像時における位置情報を履歴として保持するものである。なお、この位置情報履歴保持部３５０は、位置情報履歴領域を規定する際に用いられる。また、位置情報履歴保持部３５０は、特許請求の範囲に記載の位置情報履歴保持部の一例である。
【００４９】
シャッターボタン２４２は、撮像者からの撮像タイミングを受け付けるボタンである。このシャッターボタン２４２は、撮像画像データの記録を指示するための信号を位置情報変換部３３０および記録制御部３４０に出力する。すなわち、シャッターボタン２４２が押下された場合には、この押下の際に撮像データ生成部１１０により生成された撮像画像データと位置情報変換部３３０により供給された位置情報とが関連付けられた画像ファイルが記録媒体２２０に記録される。なお、シャッターボタン２４２は、図１に示した操作受付部２４０に対応する。
【００５０】
図３は、本発明の実施の形態の撮像装置１００における位置情報変換領域の設定例に関する概略図である。図３（ａ）および（ｂ）には、表示部１４０に表示される日本地図上に位置情報変換領域を設定する例が示されている。
【００５１】
図３（ａ）には、一例として、矩形により設定された位置情報変換領域４１０が示されている。図３（ｂ）には、一例として、中心点４２１を中心に半径Ｒの円により設定された位置情報変換領域４２０が示されている。また、図３（ａ）および（ｂ）以外の他の設定手法として、例えば、国単位、都道府県単位または市町村単位などの地域単位により位置情報変換領域を設定するようにしてもよい。
【００５２】
なお、表示部１４０に表示させるための地図情報については、例えば、ＲＡＭ１８０に保持させておき、撮像者からの指定操作に応じてＲＡＭ１８０から取得することができる。また、撮像装置１００以外の地図情報記録装置に地図情報を記録させておき、インターネット等のネットワークを介してその地図情報記録装置から地図情報を取得するようにしてもよい。また、位置情報変換領域を設定する場合には、撮像装置１００以外の他の装置（パーソナルコンピュータ等）において位置情報付与禁止領域を設定し、この設定内容を撮像装置１００に転送して位置情報変換領域保持部に保持させるようにしてもよい。
【００５３】
図４は、本発明の実施の形態における撮像装置１００の第１の実施例における記録制御部３４０よって生成される静止画像ファイル５００のファイル構造を示す概略図である。この静止画像ファイル５００は、ヘッダ部５１０およびデータ部５２０から構成される。
【００５４】
データ部５２０には、撮像データ生成部１１０により生成された撮像画像データである静止画像データが保持される。また、ヘッダ部５１０には、その静止画像データに関する情報が保持され、撮像時おける位置情報を保持する位置情報５１１の領域が含まれる。この位置情報５１１には、位置情報変換部３３０により供給される位置情報が保持される。すなわち、この位置情報５１１には、領域判定部３２０により、位置情報取得部１７１からの位置情報が位置情報変換領域内に含まれると判定された場合には、位置情報変換部３３０により変換された位置情報が保持される。一方、この位置情報５１１には、位置情報領域内に含まれないと判定された場合には、位置情報取得部１７１からの位置情報がそのまま保持される。なお、この位置情報５１１の領域は、位置情報を保持するために一般的に用いられている領域を想定している。
【００５５】
図５は、本発明の実施の形態における撮像装置１００の第１の実施例における静止画像ファイル５００のファイル構造の一例を示す図である。
【００５６】
この静止画像ファイル５００は、ＪＰＥＧ形式により圧縮されたＪＰＥＧ圧縮データ５３３が保持される。ここで、ＪＰＥＧ（Joint Photographic coding Expert Group）とは、画像データの圧縮方式の一つである。なお、静止画像ファイル５００の先頭には、ヘッダ領域として、ＪＰＥＧヘッダ５３１が付加される。
【００５７】
この静止画像ファイル６００には、ＪＰＥＧ圧縮データ５３３に関する情報（以下、メタ情報という）を保持するＡＰＰ１（APPlication marker header 1）領域と呼ばれる領域が含まれる。このＡＰＰ１領域には、例えば、ＡＰＰ１（ＥＸＩＦ）５３２が保持される。ＡＰＰ１（ＥＸＩＦ）５３２は、ＥＸＩＦによるメタ情報を保持する領域である。ここで、ＥＸＩＦ（Exchangeable Image File Format）とは、デジタルスチルカメラ用のメタ情報の規格である。
【００５８】
このＡＰＰ１（ＥＸＩＦ）５３２には、ＥＸＩＦ固有情報５４０およびＧＰＳ情報５５０が含まれる。このＧＰＳ情報５５０の領域において位置情報変換部３３０により供給される位置情報が保持される。なお、このＧＰＳ情報５５０は、図４に示した位置情報５１１に対応する。次に、ＧＰＳ情報５５０の構造について図面を参照して詳細に説明する。
【００５９】
図６は、本発明の実施の形態における撮像装置１００の第１の実施例の静止画像ファイル５００におけるＧＰＳ情報５５０の構造を示す図である。ここでは、位置情報取得部１７１により取得された位置情報により示される位置が「東経１３９度４４分２５秒、北緯３５度３７分４２秒」であると想定する。
【００６０】
ＧＰＳ情報５５０には、ＧＰＳタグバーション（ＧＰＳＶｅｒｓｉｏｎＩＤ）５５１、北緯／南緯（ＧＰＳＬａｔｉｔｕｄｅＲｅｆ）５５２、および、緯度（ＧＰＳＬａｔｉｔｕｄｅ）５５３が含まれる。さらに、ＧＰＳ情報５５０には、東経／西経（ＧＰＳＬｏｎｇｉｔｕｄｅＲｅｆ）５５４、および、経度（ＧＰＳＬｏｎｇｉｔｕｄｅ）５５５などが含まれる。
【００６１】
ＧＰＳタグバーション５５１には、ＧＰＳタグのバーションとして、例えば、バーション２．０を示す情報が保持される。北緯／南緯５５２には、北緯を示す「Ｎ」が保持される。緯度５５３には、３５度３７分４２秒を示す「０ｘ２３，０ｘ２Ｃ，０ｘ２Ａ」が保持される。なお、「０ｘ」に続く英数字が十六進数であることを意味する（以下同様）。
【００６２】
東経／西経５５４には、東経を示す「Ｅ」が保持される。経度５５５には、１３９度４４分２５秒を示す「０ｘ８Ｂ，０ｘ２Ｃ，０ｘ１９」が保持される。
【００６３】
図７は、本発明の実施の形態における位置情報５１１の領域に保持する位置情報のデータ形式を例示する図である。ここでは、図６で示した位置情報を保持するためのデータ形式例以外の他の例について説明する。図７（ａ）および（ｂ）には、位置情報取得部１７１により取得された位置情報のデータ形式を、記録媒体２２０に保持する際のデータ形式に変形する例が示されている。ここでは、位置情報取得部１７１により取得された位置情報が「東経１３９度４４分２５秒、北緯３５度３７分４２秒」であると想定する。
【００６４】
図７（ａ）は、経度および緯度をそれぞれ３６０度および１８０度により表現する場合の例である。図７（ａ）では、まず、度分秒の単位で表現された「東経１３９度４４分２５秒」および「北緯３５度３７分４２秒」を度の単位の表現にする。これにより、経度および緯度のデータ形式は、それぞれ「１３９．７４０３４３」および「３５．６３０８２６」となる。
【００６５】
次に、経度においては、西経１８０度から東経１８０度を「０」から「３６０」と表現し、緯度においては、南緯９０度から北緯９０度を「０」から「１８０」と表現する。これにより、経度のデータ形式は１８０が加算された「２１９．７４０３４３」となり、緯度のデータ形式は９０が加算された「１２５．６３０８２６」となる。
【００６６】
次に、緯度および経度の両方にそれぞれ１０の６乗を乗算した後、十六進数に変換することによって、経度および緯度のデータ形式をそれぞれ「０ｘ０Ｄ１８Ｆ８Ｂ７」および「０ｘ０７７ＣＦ９６Ａ」とする。そして、これらの２つのデータを位置情報５１１の領域に保持させる。なお、この場合、経度は、「０ｘ００００００００」から「０ｘ１５７５２Ａ００」の範囲、緯度は「０ｘ００００００００」から「０ｘ０ＡＢＡ９５００」の範囲により表現される。
【００６７】
図７（ｂ）は、東経および北緯を正の値、西経および南緯を負の値により表現する場合の例である。図７（ｂ）では、上述と同様に「東経１３９度４４分２５秒」および「北緯３５度３７分４２秒」を、それぞれ「１３９．７４０３４３」および「３５．６３０８２６」のデータ形式により表現する。
【００６８】
次に、経度においては、西経１８０度から東経１８０度を「−１８０」から「＋１８０」と表現し、緯度においては、南緯９０度から北緯９０度を「−９０」から「＋９０」と表現する。これにより、経度および緯度のデータ形式は、「＋１３９．７４０３４３」および「＋３５．６３０８２６」となる。
【００６９】
次に、緯度および経度の両方に１０の６乗を乗算した後、十六進数に変換することによって、経度および緯度のデータ形式を「０ｘ０８５４４４Ｂ７」および「０ｘ０２１ＦＡＥＥＡ」とする。そして、これらの２つのデータを位置情報５１１の領域に保持させる。
【００７０】
なお、この場合、経度は、「０ｘ００００００００」から「０ｘ０ＡＢＡ９５００」または「０ｘＦ５４５６Ｂ００」から「０ｘＦＦＦＦＦＦＦＦ」の範囲により表現される。緯度は、「０ｘ００００００００」から「０ｘ０５５Ｄ４Ａ８０」または「０ｘＦＡＡ２Ｂ５８０」から「０ｘＦＦＦＦＦＦＦＦ」の範囲により表現される。
【００７１】
図８は、本発明の実施の形態における位置情報変換部３３０により規定される拡張領域４５０を示す図である。ここでは、矩形の位置情報変換領域４３０が示されている。この位置情報変換領域４３０において、左上の位置４３１は「東経１３９．１８５７９１度、北緯３５．８２６７２１度」を示し、左下の位置４３２は「東経１３９．７９００３９度、北緯３５．５８５９５２度」を示す。
【００７２】
また、ここでは、位置情報履歴保持部３５０に保持される６つの位置情報履歴４４１乃至４４６が示されている。この位置情報履歴４４１乃至４４３は、それぞれ「東経１３９．６３６２３０度、北緯３５．４４７２４６度」、「東経１３９．５１２６３４度、北緯３５．５２３２８５度」および「東経１３９．６０３２７１度、北緯３５．５１９９３２度」を示す。また、位置情報履歴４４４乃至４４６は、それぞれ「東経１３９．５０１６４８度、北緯３５．４４６１２７度」、「東経１３９．５４６２８０度、北緯３５．４９５３３８度」および「東経１３９．６９６６５５度、北緯３５．６９７４５６度」を示す。
【００７３】
この場合において、位置情報変換部３３０は、位置情報履歴４４１乃至４４６のうち、経度および緯度における最大値および最小値をそれぞれ抽出することによって位置情報履歴領域４４０を規定する。この例では、位置情報履歴領域４４０において、左上の位置４４７は、経度の最小値および緯度の最大値となり、「東経１３９．５０１６８４度、北緯３５．６９７４５６度」となる。右下の位置４４８は、経度の最大値および緯度の最小値となり、「東経１３９．６９６６５５度、北緯３５．４４６１２７度」となる。
【００７４】
このように、位置情報履歴保持部３５０により保持される位置情報の履歴に基づいて位置情報履歴領域４４０が規定される。
【００７５】
次に、位置情報変換領域４３０と位置情報履歴領域４４０とを含む拡張領域４５０が、位置４３１および４３２と、位置４４７および４４８とに基づいて規定される。位置情報履歴領域４４０の規定と同様に、これらの位置情報のうち、経度および緯度において最大値および最小値をそれぞれ抽出することによって位置４３１および４５２が求められ、拡張領域４５０が規定される。
【００７６】
ここで、緯度および経度に対応する２つの乱数を用いて拡張領域４５０内を示す位置情報の生成手法について簡単に説明する。２つの乱数は、「０．００００００」から「１．００００００」の間の値を取るものとし、ここでは、経度に対応する乱数の値が「０．３４２６４」、緯度に対応する乱数の値が「０．８４３２６４」であると想定する。
【００７７】
この場合、変換された位置情報における経度は次式により算出される。
（１３９．７９００３９−１３９．１８５７９１）×０．３５３２６４
＋１３９．１８５７９１＝１３９．３９９２５０
【００７８】
また、変換された位置情報における緯度は次式により算出される。
（  ３５．８２６７２１−  ３５．４４６１２７）×０．８４３２６４
＋  ３５．４４６１２７＝  ３５．７６７０６８
【００７９】
このように、位置４３１および４５２と、２つの乱数とを用いて変換された位置情報の示す位置「東経１３９．３９９２５０度、北緯３５．７６７０６８度」は、拡張領域４５０内を示す位置情報になる。これにより、位置情報変換領域外の画像ファイルの位置情報と対比されるような場合があっても、位置情報が変換されたものであることを第三者に類推され難くすることができる。
【００８０】
図９は、本発明の実施の形態における撮像装置１００によって生成される動画ファイルのデータ構造を示す概略図である。動画ファイル６００は、ヘッダ部６１０およびデータ部６２０から構成される。データ部６２０には、撮像データ生成部１１０により生成された撮像画像データである動画データが所定の形式により保持される。ヘッダ部６１０には、その動画データに関する情報が保持され、撮像時おける位置情報を保持する位置情報６１１の領域が含まれる。この位置情報６１１には、位置情報変換部３３０により供給される位置情報が保持される。なお、この動画ファイル６００には、ＧＯＰ（Group Of Picture）毎にヘッダ部６１０を設けるようにしてもよく、また、ストリーム中の一定間隔毎にヘッダ部６１０を設けるようにしてもよい。次に、動画ファイルのファイル構造の一例として、ＤＶＤ−Ｖｉｄｅｏ規格によるディスクのデータ構造について図面を参照して説明する。
【００８１】
図１０は、ＤＶＤ−Ｖｉｄｅｏ規格によるディスクのデータ構造を示す図である。ディスクは円盤状の形状を有しており、内周側にリードイン領域７１１が設けられ、外周側にリードアウト領域７１５が設けられる。そして、内周側から外周側に向かって順番に、ファイルシステム領域７１２と、管理情報領域７１３と、データ記録領域７１４とが設けられる。ファイルシステム領域７１２は、ファイルシステムの管理領域であり、ＩＳＯ９６６０およびＵＤＦ（Universal Disk Format）の規格に準拠するように設けられている。管理情報領域７１３は、ディスク上に記録されているビデオコンテンツ全体の管理情報を保持する領域である。データ記録領域７１４は、各ビデオタイトルセットの内容およびその制御情報を保持する領域である。なお、これら領域は、２０４８バイトの論理セクタに区分される。
【００８２】
管理情報領域７１３には、ＶＭＧ（Video ManaGer）７３０が保持される。このＶＭＧ７３０は、ＶＭＧＩ（ＶＭＧ Information）７３１と、ＶＭＧＭ＿ＶＯＢＳ（Video OBject Set for ＶＭＧ Menu）７３２と、ＶＭＧＩ＿ＢＵＰ（ＶＭＧＩ for Back UP）７３４とを備えている。ＶＭＧＩ７３１は、後述するように、ディスク上に記録されているビデオコンテンツのタイトル毎の管理情報やトップメニューの制御情報などを保持する。ＶＭＧＭ＿ＶＯＢＳ７３２は、トップメニューのデータを保持する。また、ＶＭＧＩ＿ＢＵＰ７３４は、ＶＭＧＩ７３１のバックアップ用コピーである。
【００８３】
データ記録領域７１４には、ＶＴＳ（Video Titles Set）７４０が少なくとも１つ保持される。各ＶＴＳ７４０は、それぞれＶＴＳＩ（ＶＴＳ Information）７４１と、ＶＴＳＭ＿ＶＯＢＳ（Video OBject Set for ＶＴＳ Menu）７４２とを備える。さらに、各ＶＴＳ７４０は、それぞれＶＴＳＴＴ＿ＶＯＢＳ（Video Object Set for Titles in a ＶＴＳ）７４３とＶＴＳＩ＿ＢＵＰ（ＶＴＳＩ for Back UP）７４４とを備えている。ＶＴＳＩ７４１は、後述するように、そのビデオタイトルセットに含まれるタイトルのチャプター毎の管理情報や制御情報およびチャプターメニューの制御情報などを保持する。ＶＴＳＭ＿ＶＯＢＳ７４２は、チャプターメニューのデータを保持する。ＶＴＳＴＴ＿ＶＯＢＳ７４３は、そのビデオタイトルセットに含まれるタイトルのデータを保持する。また、ＶＴＳＩ＿ＢＵＰ７４４は、ＶＴＳＩ７４１のバックアップ用コピーである。
【００８４】
図１１は、ビデオオブジェクトセット（ＶＯＢＳ）の構成要素を示す図である。図１０のＶＭＧＭ＿ＶＯＢＳ７３２、ＶＴＳＭ＿ＶＯＢＳ７４２、および、ＶＴＳＴＴ＿ＶＯＢＳ７４３は、それぞれのデータをビデオオブジェクトセット（ＶＯＢＳ）として保持するものであり、共通の形式を有する。このＶＯＢＳ７６０は、１個以上のビデオオブジェクト（ＶＯＢ）７６１の集合である。このＶＯＢ７６１にはＶＯＢ＿ＩＤ番号が付され、識別のために用いられる。このＶＯＢ７６１は、１個以上のセル（Ｃｅｌｌ）７６２により構成される。このセル７６２は、リアルタイム再生単位であり、ＶＯＢ７６１と同様にセルＩＤ番号が付される。
【００８５】
セル７６２は、１個以上のビデオオブジェクトユニット（ＶＯＢＵ）７６３を含む。このＶＯＢＵ７６３は、ナビゲーションパック（ＮＶ＿ＰＣＫ）７６４を先頭とするパック列である。パックとは、２０４８バイトの固定データである。このパックは、追加記録情報を保持する追加記録情報パック（ＡＲＩ＿ＰＣＫ）７６８を含む。この追加記録情報パックの領域において位置情報変換部３３０により供給される位置情報が保持される。また、先頭のＮＶ＿ＰＣＫ７６４の他、映像データを保持する映像パック（Ｖ＿ＰＣＫ）７６５、音声データを保持する音声パック（Ａ＿ＰＣＫ）７６６を必要に応じて備える。さらに、サブピクチャデータを保持するサブピクチャパック（ＳＰ＿ＰＣＫ）７６７なども必要に応じて備える。
【００８６】
ＮＶ＿ＰＣＫ７６４は、パックヘッダ７７１に続いて、再生制御情報（ＰＣＩ：Presentation Control Information）７７２およびデータ検索情報（ＤＳＩ：Data Search Information）７７３を保持する。ＰＣＩ７７２は、再生表示に関する制御情報であり、ノンシームレス再生のためのアングル情報や、サブピクチャのハイライト表示のための情報などを保持する。ＤＳＩ７７３は、ディスクにアクセスするための制御情報であり、シームレス再生のためのアングル情報や、再生時間（０．５秒×ｎ）を単位としたＶＯＢＵの検索情報などを保持する。
【００８７】
図１２は、本発明の実施の形態における追加記録情報（ＡＲＩ＿ＰＣＫ）のデータ構造を示す図である。このＡＲＩ＿ＰＣＫ７６８に含まれる情報は、追加記録情報識別子、アプリケーション情報、記録時間情報、カメラ情報および位置情報の５種類に大別される。
【００８８】
追加記録識別子は、パケット内データが追加記録情報であることを認識させるための識別子であり、追加記録情報データ識別子（ＡＲＩ＿ＤＡＴ＿ＩＤ）と、そのバージョン番号（ＡＲＩ＿ＤＡＴ＿ＶＥＲ）が記録される。
【００８９】
アプリケーション情報には、製品の製造元であるベンダー名（ＶＮＤ＿ＮＡＭＥ）、製品名であるプロダクト名（ＰＲＤ＿ＮＡＭＥ）、アプリケーション識別子（ＡＰＬ＿ＩＤ）、開発者情報データ（ＭＮＦＩ＿ＤＡＴＡ）、装置種別（ＰＲＤ＿ＴＹＰ）が含まれる。ここで、アプリケーション識別子は、記録時の記録方式を識別するための情報である。開発者用データは、開発者が自由に使用できるエリアであり、例えば開発時のデバッグ用のデータが記録される。また、装置種別は、記録時の装置の種別を識別するための情報であり、例えば、携行型のカムコーダによって記録されたか、または、それ以外の据え置き型のデッキ（レコーダ）によって記録されたかを示す。この装置種別は、ベンダー名およびプロダクト名から判断するようにしてもよい。但し、その場合にはベンダー名およびプロダクト名をキーとして装置種別を取得するためのデータベースが必要となる。このデータベースはネットワーク経由により適宜更新されるようにすることが望ましい。
【００９０】
記録時間情報には、当該追加記録情報が含まれるＶＯＢＵについての追加記録情報データ（ＡＲＩ＿ＤＡＴＡ）の記録時のタイムゾーン（ＶＯＢＵ＿ＬＣＬ＿ＴＭ＿ＺＯＮＥ）と、ＡＲＩ＿ＤＡＴＡの記録時間（ＶＯＢＵ＿ＲＥＣ＿ＴＭ）とが記録される。ＶＯＢＵ＿ＲＥＣ＿ＴＭは、例えば、Ｉピクチャのフレームの撮影時間として、年、月、日、時、分、秒で記述される。ＶＯＢＵ＿ＬＣＬ＿ＴＭ＿ＺＯＮＥは、ＶＯＢＵ＿ＲＥＣ＿ＴＭに対するタイムゾーンが記録される。ここで、タイムゾーンとは、ユーザが機器に設定したＵＴＣ（Ｃｏｏｒｄｉｎａｔｅｄ  Ｕｎｉｖｅｒｓａｌ  Ｔｉｍｅ）からのオフセット時間である。すなわち、記録装置を使用する国の時刻（ローカルタイム）に対応した時差である。ＶＯＢＵ＿ＲＥＣ＿ＴＭとして、ユニバーサルタイム（全世界で時刻を記録する際に使用される公式の時刻）を用いることもでき、その場合には、ＶＯＢＵ＿ＬＣＬ＿ＴＭ＿ＺＯＮＥは、ゼロに設定される。
【００９１】
カメラ情報には、撮影時の設定条件などの情報として、Ｆナンバー（Ｆ＿ＮＵＭ）、露出時間（ＥＸＰ＿ＴＭ）などの情報が含められている。
【００９２】
位置情報には、北緯／南緯（ＧＰＳ＿ＬＡＴ＿ＲＥＦ）、緯度（ＧＰＳ＿ＬＡＴ）、東経／西経（ＧＰＳ＿ＬＯＮ＿ＲＥＦ）、緯度（ＧＰＳ＿ＬＯＮ）が含まれる。この位置情報の領域に、位置情報変換部３３０により供給される位置情報が記録される。なお、ＡＲＩ＿ＰＣＫ７６８における位置情報は、図９に示した位置情報６１１に対応する。
【００９３】
次に本発明の実施の形態における撮像装置１００の撮像時における動作について図面を参照して説明する。
【００９４】
図１３は、本発明の実施の形態における撮像装置１００の撮像時における位置情報変換処理の処理手順例を示すフローチャートである。
【００９５】
まず、撮像データ生成部１１０により撮像画像データが生成される（ステップＳ９１１）。なお、ステップＳ９１１は、特許請求の範囲に記載の撮像データ生成手順の一例である。次に、位置情報取得部１７１により位置情報が取得される（ステップＳ９１２）。なお、ステップＳ９１２は、特許請求の範囲に記載の位置情報取得手順の一例である。
【００９６】
次に、領域判定部３２０により、位置情報取得部１７１からの位置情報により示される位置が位置情報変換領域保持部３１０に保持された位置情報変換領域に含まれるか否かが判定される（ステップＳ９１３）。なお、ステップＳ９１３は、特許請求の範囲に記載の領域判定手順の一例である。そして、位置情報変換領域に含まれると判定された場合には、位置情報変換部３３０により、位置情報取得部１７１からの位置情報がその位置情報により示される位置とは異なる位置を示す位置情報に変換される（ステップＳ９１４）。なお、ステップＳ９１４は、特許請求の範囲に記載の位置情報変換手順の一例である。一方、位置情報変換領域に含まれないと判定された場合には、位置情報変換部３３０により、位置情報取得部１７１からの位置情報が変換されることなく、記録制御部３４０に供給される。
【００９７】
次に、記録制御部３４０により、位置情報変換部３３０からの位置情報と、撮像データ生成部１１０により生成された撮像画像データとが関連付けられた画像ファイルが生成される（ステップＳ９１５）。そして、記録制御部３４０により、この画像ファイルを記録媒体２２０に記録させるように制御される（ステップＳ９１６）。なお、ステップＳ９１５およびＳ９１６は、特許請求の範囲に記載の記録制御手順の一例である。
【００９８】
このように、本発明の実施の形態における撮像装置１００の第１の実施例によれば、撮像時において位置情報取得部１７１からの位置情報の示す位置が位置情報変換領域内に含まれる場合には、その位置情報が示す位置とは異なる位置情報に変換することができる。これにより、インターネット上に画像ファイルが公開されても、他人に位置情報を知られたくない領域において撮像された撮像画像の本来の位置を第三者に知られないようにすることができる。また、位置情報変換部３３０は、変換された位置情報が位置情報変換領域を示すように位置情報を変換することができる。これにより、位置情報変換領域外の画像ファイルの位置情報と対比されるような場合があっても、変換された位置情報が本来の位置から不自然に離れた位置を示さないため、位置情報が変換されていることを第三者に類推され難くすることができる。
【００９９】
また、位置情報変換部３３０は、変換された位置情報が位置情報履歴領域内を示すように位置情報を変換することができる。これにより、変換された位置情報が位置情報変換領域４３０の外の領域を示す場合であっても、過去に取得された撮像画像の位置情報に基づいて位置情報が変換されるため、位置情報が変換されたことを第三者に類推され難くすることができる。
【０１００】
なお、本発明の実施の形態における第１の実施例において画像ファイルの位置情報を変換することによって本来の位置を第三者に知られないようにする例について説明したが、例えば、撮像者自身が画像ファイルの位置情報を確認することも想定される。この場合、位置情報取得部１７１からの位置情報に所定の値を加算または減算することによって位置情報を変換するときには、その所定の値を用いて変換された位置情報を元の位置情報に戻すことができる。しかしながら、例えば、乱数を用いて位置情報を変換する場合においては、変換された位置情報だけでは元の位置情報に戻すことができない。そのため、位置情報が変換された場合に、変換された位置情報に加えて本来の位置情報を暗号化したものを画像ファイルに付加するように改良したものが、次に説明する第２の実施例である。
【０１０１】
図１４は、本発明の実施の形態における撮像装置１００の第２の実施例の撮像時における機能構成例を示すブロック図である。ここでは、図２の構成に加えて暗号化処理部３６０およびパスワード受付部２４３が示されている。なお、位置情報変換部３３０、記録制御部３４０、暗号化処理部３６０およびパスワード受付部２４３以外の他の構成は、図２と同様のものであるため、ここでの説明を省略する。
【０１０２】
パスワード受付部２４３は、撮像者からのパスワードを受付けるものである。なお、パスワード受付部２４３は、図１に示した操作受付部２４０に対応する。また、このパスワード受付部２４３は、特許請求の範囲に記載のパスワード受付部の一例である。
【０１０３】
位置情報変換部３３０は、位置情報を変換する場合には、位置情報取得部１７１により取得された位置情報を暗号化処理部３６０に供給するものである。なお、この位置情報変換部３３０の他の機能は、図２で示したものと同様であるため、ここでの説明を省略する。
【０１０４】
暗号化処理部３６０は、位置情報変換部３３０により供給された位置情報に暗号化処理を施すものである。この暗号化処理部３６０は、暗号化された位置情報を記録制御部３４０に供給する。この暗号化処理部３６０は、例えば、位置情報変換部３３０により供給された位置情報取得部１７１からの位置情報と、暗号化された位置情報とを関連付けた対応表を生成して、その暗号化された位置情報を記録制御部３４０に供給する。これにより、暗号化された位置情報の情報量を削減することができ、かつ、撮像装置１００においてのみ暗号化された位置情報を元に戻すことができるようになる。
【０１０５】
また、暗号化処理部３６０は、例えば、暗号化処理するための暗号鍵を用いて位置情報変換部３３０により供給された位置情報に暗号化処理を施し、その暗号化された位置情報を記録制御部３４０に供給する。この場合において、パスワード受付部２４３により受け付けられたパスワードに基づいて暗号鍵を生成するようにしてもよい。これにより、パスワードを知っている特定の人のみが暗号化された位置情報を元に戻して利用することができるようになる。なお、この暗号化処理部３６０は、特許請求の範囲に記載の暗号化処理部の一例である。
【０１０６】
記録制御部３４０は、撮像データ生成部１１０により供給された撮像画像データと、位置情報変換部３３０により供給された位置情報と、暗号化処理部３６０からの暗号化された位置情報とを関連付けて画像ファイルを生成するものである。なお、記録制御部３４０の他の機能は、図２で示したものと同様であるため、ここでの説明を省略する。また、この記録制御部３４０は、特許請求の範囲に記載の記録制御部の一例である。
【０１０７】
図１５は、本発明の実施の形態における撮像装置１００の第２の実施例における静止画像ファイル５００のファイル構造を示す概略図である。ここでは、図４に示したヘッダ部５１０における位置情報５１１の領域に加えて、暗号化された位置情報を保持する暗号化位置情報５１２が含まれる。この暗号化位置情報５１２には、位置情報５１１に変換された位置情報が保持される場合に、暗号化処理部３６０により暗号化された位置情報が保持される。なお、この暗号化位置情報５１２の領域は、ヘッダ部５１０における予約領域などに設けられることを想定している。
【０１０８】
図１６は、本発明の実施の形態における撮像装置１００の第２の実施例における静止画像ファイル５００のファイル構造の一例を示す図である。ここでは、図５に示したＥＸＩＦ固有情報５４０に含まれるユーザ情報５４１の領域が示されている。このユーザ情報５４１には、メーカーノート（MakerNote）の領域（タグＩＤ＝３７５００）およびユーザコメント（UserComment）の領域（タグＩＤ＝３７５１０）が含まれる。暗号化処理部３６０により暗号化された位置情報は、例えば、メーカーノートの領域に保持され得る。なお、このメーカーノートの領域は、図１５に示した暗号化位置情報５１２に対応する。
【０１０９】
図１７は、本発明の実施の形態の撮像装置１００の第２の実施例における暗号化処理部３６０により生成される位置情報に関する対応表の一例を示す図である。ここでは、暗号化位置情報８１０と位置情報８２０との対応関係が示されている。
【０１１０】
暗号化位置情報８１０は、暗号化された位置情報として、記録制御部３４０に供給される情報を示す。この暗号化位置情報８１０が静止画像ファイル５００における暗号化位置情報５１２に保持される。位置情報８２０は、位置情報取得部１７１により取得された位置情報を示す。例えば、暗号化位置情報「１」に対応する位置情報は、「東経１３９．５５１４３０度、北緯３５．６５０６００度」である。すなわち、暗号化位置情報５１２の領域に暗号化位置情報「１」が保持された画像ファイルにおける位置情報は、対応表８００により、「東経１３９．５５１４３０度、北緯３５．６５０６００度」であると特定される。
【０１１１】
図１８は、本発明の実施の形態の撮像装置１００の第２の実施例における暗号鍵による暗号化処理の一例を示す図である。位置情報取得部１７１により取得された位置情報が「東経１３９度４４分２５秒、北緯３５度３７分４２秒」であると想定する。また、この位置情報は、図７（ａ）に示した形式により記述されるものとする。ここでは、暗号化方式として、ＣＢＣ（Cipher Block Chaining）モードにおいてＡＥＳ（Advanced Encryption Standard）暗号を用いる。また、鍵長は１２８ビットとし、暗号鍵（Ｋｅｙ）はパスワードに基づいて生成されるものとする。
【０１１２】
図１８（ａ）は、位置情報取得部１７１により取得された位置情報の暗号化処理の概要を示す図である。ここでは、位置情報を「０ｘ０Ｄ１８Ｆ８Ｂ７０７７ＣＦ９６Ａ」とする。これは、図７（ａ）で示した、経度「０ｘ０Ｄ１８Ｆ８Ｂ７」および緯度「０ｘ０７７ＣＦ９６Ａ」を合わせたものである。
【０１１３】
この場合において、パスワード「ｐａｓｓｗｏｒｄ」および補助的情報（Ｓａｌｔ）「０ｘ６８Ｃ３０Ｅ６２０９３Ｅ５Ｄ４Ｄ」に基づいて暗号鍵（Ｋｅｙ）および初期化ベクタ（ＩＶ：Initialization Vector）が生成される。この暗号鍵（Ｋｅｙ）および初期化ベクタ（ＩＶ）を用いて位置情報にＡＥＳ暗号化処理を施すことにより、暗号化された位置情報「０ｘ６８Ｃ３０Ｅ６２０９３Ｅ５Ｄ４Ｄ９１ＤＦＦＣ８Ｅ４３８ＡＥ２４１２３２７Ｅ５Ｂ８９４Ｅ４ＢＥＥ０」が生成される。
【０１１４】
図１８（ｂ）は、図１８（ａ）において生成された暗号化された位置情報の復号処理の概要を示す図である。まず、暗号化された位置情報のうち、補助的位置情報（Ｓａｌｔ）を抽出する。ここで、補助的位置情報（Ｓａｌｔ）およびパスワード「ｐａｓｓｗｏｒｄ」に基づいて暗号鍵（Ｋｅｙ）および初期化ベクタ（ＩＶ）が生成される。この暗号鍵（Ｋｅｙ）および初期化ベクタ（ＩＶ）を用いて、補助的情報（Ｓａｌｔ）抽出後の暗号化された位置情報「０ｘ９１ＤＦＦＣ８Ｅ４３８ＡＥ２４１２３２７Ｅ５Ｂ８９４Ｅ４ＢＥＥ０」にＡＥＳ復号を行い、暗号化処理前の位置情報のデータが生成される。
【０１１５】
図１９は、本発明の実施の形態の撮像装置１００の第２の実施例における動画ファイル６００のファイル構造を示す概略図である。ここでは、図９に示したヘッダ部６１０における位置情報６１１の領域に加えて、暗号化された位置情報を保持する暗号化位置情報６１２が含まれる。この暗号化位置情報６１２には、暗号化処理部３６０により暗号化された位置情報が保持される。
【０１１６】
図２０は、本発明の実施の形態における撮像装置１００の第２の実施例の暗号化された位置情報の復号処理時における機能構成例を示すブロック図である。ここでは、暗号化された位置情報を復号することにより、その復号された位置情報を表示部１４０に表示させることを想定する。
【０１１７】
撮像装置１００は、表示部１４０と、媒体制御部２１０と、記録媒体２２０と、パスワード受付部２４３と、位置情報表示受付部２４４と、プロセッサ３００とを備える。プロセッサ３００は、復号情報保持部３６１と、暗号化位置情報抽出部３７１と、復号処理部３８０と、表示制御部３９０とを備える。
【０１１８】
位置情報表示受付部２４４は、画像ファイルの位置情報を表示させるための画像ファイルの指定を受け付けるものである。この位置情報表示受付部２４４は、その受け付けられた画像ファイルの指定を媒体制御部２１０に供給する。
【０１１９】
媒体制御部２１０は、位置情報表示受付部２４４により指定された画像ファイルを記録媒体２２０から読み出し、その読み出した画像ファイルを暗号化位置情報抽出部３７１に供給するものである。
【０１２０】
復号情報保持部３６１は、復号処理に必要となる情報を保持するものである。この復号情報保持部３６１は、例えば、図１７に示した対応表による暗号化処理が行われた場合には、暗号化処理部３６０により生成された対応表を保持する。
【０１２１】
暗号化位置情報抽出部３７１は、読み出された画像ファイルのうち、暗号化位置情報５１２または６１２の領域に保持されている暗号化された位置情報を抽出するものである。この暗号化位置情報抽出部３７１は、その暗号化された位置情報を復号処理部３８０に供給する。
【０１２２】
復号処理部３８０は、暗号化位置情報抽出部３７１からの暗号化された位置情報を復号するものである。この復号処理部３８０は、図１７に示した対応表による暗号化処理が行われた場合には、暗号化位置情報抽出部３７１からの暗号化された位置情報である暗号化位置情報と、復号情報保持部３６１に保持された対応表とに基づいて位置情報を復号する。
【０１２３】
また、この復号処理部３８０は、例えば、図１８に示したパスワードを用いた暗号化処理が行われた場合には、暗号化された位置情報と、パスワード受付部２４３により受け付けられたパスワードとに基づいて位置情報を復号処理する。この場合、パスワード受付部２４３に受け付けられたパスワードを復号情報保持部３６１に保持させておき、その保持されたパスワードを用いて復号処理を行うようにしてもよい。これにより、撮像者によるパスワードの入力操作の負担を軽減することができる。
【０１２４】
また、この復号処理部３８０は、復号処理された位置情報を表示制御部３９０に供給する。
【０１２５】
表示制御部３９０は、復号された位置情報を表示部１４０に表示させるものである。表示部１４０は、表示制御部３９０からの復号された位置情報を表示画面に表示するものである。
【０１２６】
このように、本発明の実施の形態における第２の実施例では、暗号化処理部３６０を設けることによって、位置情報取得部１７１により取得された位置情報に暗号化処理を施し、画像ファイルにその暗号かされた位置情報を付加する。これにより、暗号化された位置情報を復号処理することができる特定の人のみが、本来の位置情報を利用することができるようになる。
【０１２７】
以上のように、本発明の実施の形態における第１および第２の実施例では、位置情報取得部１７１により取得された位置情報を撮像時において変換する例について説明したが、画像ファイルを外部装置に送信する際に位置情報を変換するようにしてもよい。そこで、撮像装置１００の第３の実施例として、画像ファイルを外部装置に送信する際において画像ファイルに付加された位置情報を変換する例について次図を参照して説明する。
【０１２８】
図２１は、本発明の実施の形態における撮像装置１００の第３の実施例の機能構成例を示すブロック図である。ここでは、位置情報が変換されていない画像ファイルが記録媒体２２０に記録されており、画像ファイルを外部装置に送信する際に位置情報を変換することを想定する。
【０１２９】
撮像装置１００は、媒体制御部２１０と、記録媒体２２０と、送信制御部２３１と、パスワード受付部２４３と、ファイル送信受付部２４５と、プロセッサ３００とを備える。プロセッサ３００は、位置情報変換領域保持部３１０と、領域判定部３２０と、位置情報変換部３３０と、記録制御部３４０と、位置情報履歴保持部３５０と、暗号化処理部３６０と、位置情報抽出部３７０とを備える。なお、記録媒体２２０、パスワード受付部２４３、位置情報変換領域保持部３１０、領域判定部３２０、位置情報変換部３３０、位置情報履歴保持部３５０および暗号化処理部３６０は、図１４と同様のものであるため、ここでの説明を省略する。
【０１３０】
ファイル送信受付部２４５は、記録媒体２２０に記録された画像ファイルを外部装置に送信するために、撮像者からの操作を受け付けるものである。このファイル送信受付部２４５は、外部装置に送信する画像ファイルの指定および外部装置に送信するためのアドレスを受け付ける。また、ファイル送信受付部２４５は、その受け付けられた画像ファイルの指定を媒体制御部２１０に供給するとともに、外部装置に送信するためのアドレスを送信制御部２３１に供給する。なお、ファイル送信受付部２４５は、図１に示した操作受付部２４０に対応する。
【０１３１】
媒体制御部２１０は、ファイル送信受付部２４５により受け付けられた画像ファイルの指定に基づいて記録媒体２２０に記録された画像ファイルを読み出すものである。この媒体制御部２１０は、読み出した画像ファイルを位置情報抽出部３７０および記録制御部３４０に供給する。
【０１３２】
また、媒体制御部２１０は、記録制御部３４０により生成された別個のデータを記録媒体２２０に一時的に保持させる。この場合、記録媒体２２０として、例えば、フリップフロップ回路などを用いるようにしてもよい。そして、媒体制御部２１０は、ファイル送信受付部２４５から送信指示がある場合には、その保持された別個のデータを送信制御部２３１に供給する。なお、ここでは、画像ファイルを外部装置に送信する場合を想定しているが、位置情報が変換されていない画像ファイルを位置情報が変換された画像ファイルに置き換える場合も想定される。この場合には、媒体制御部２１０は、記録制御部３４０により新たに生成された画像ファイルを媒体記録部２２０に記録する。なお、媒体制御部２１０は、特許請求の範囲に記載のファイル読出制御部の一例である。
【０１３３】
位置情報抽出部３７０は、媒体制御部２１０により読み出された画像ファイルに付加された位置情報を抽出するものである。この位置情報抽出部３７０は、その抽出された位置情報を領域判定部３２０および位置情報変換部３３０に供給する。なお、位置情報抽出部３７０は、特許請求の範囲に記載の位置情報抽出部の一例である。
【０１３４】
記録制御部３４０は、位置情報変換部３３０により供給された位置情報と、暗号化処理部３６０からの暗号化された位置情報と、媒体制御部２１０により供給された画像ファイルとに基づいて新たな画像ファイルを生成するものである。この記録制御部３４０は、その新たに生成された画像ファイルを記録媒体２２０に保持させるように媒体制御部２１０を制御する。なお、記録制御部３４０は、特許請求の範囲に記載の記録制御部の一例である。
【０１３５】
送信制御部２３１は、ファイル送信受付部２４５により受け付けられたアドレスに基づいて、記録制御部３４０により生成された画像ファイルを送信するよう制御するものである。なお、送信制御部２３１は、図１に示した通信部２３０に対応する。また、送信制御部２３１は、特許請求の範囲に記載の送信制御部の一例である。
【０１３６】
次に本発明の実施の形態における撮像装置１００の画像ファイル送信時における動作について図面を参照して説明する。
【０１３７】
図２２は、本発明の実施の形態における撮像装置１００の第３の実施例における位置情報変換処理の処理手順例を示すフローチャートである。
【０１３８】
まず、媒体制御部２１０により、記録媒体２２０に記録された画像ファイルが読み出される（ステップＳ９２１）。なお、ステップＳ９２１は、特許請求の範囲に記載のファイル読出制御手順の一例である。次に、位置情報抽出部３７０により、読み出された画像ファイルに付加された位置情報が抽出される（ステップＳ９２２）。なお、ステップＳ９２２は、特許請求の範囲に記載の位置情報抽出手順の一例である。
【０１３９】
次に、領域判定部３２０により、位置情報抽出部３７０からの位置情報により示される位置が位置情報変換領域保持部３１０に保持された位置情報変換領域に含まれるか否かが判定される（ステップＳ９２３）。なお、ステップＳ９２３は、特許請求の範囲に記載の領域判定手順の一例である。そして、位置情報変換領域に含まれると判定された場合には、位置情報変換部３３０により、位置情報抽出部３７０からの位置情報により示される位置とは異なる位置を示す位置情報に変換される（ステップＳ９２４）。なお、ステップＳ９２４は、特許請求の範囲に記載の位置情報変換手順の一例である。一方、位置情報変換領域に含まれないと判定された場合には、位置情報変換部３３０により、位置情報抽出部３７０からの位置情報が変換されることなく、記録制御部３４０に供給される。
【０１４０】
次に、記録制御部３４０により、位置情報変換部３３０からの位置情報と、媒体制御部２１０により供給された画像ファイルにおける撮像画像データとが関連付けられた新たな画像ファイルが生成される（ステップＳ９２５）。なお、ステップＳ９２５は、特許請求の範囲に記載の記録制御手順の一例である。そして、送信制御部２３１により、その生成された画像ファイルを外部装置に送信させるように制御される（ステップＳ９２６）。
【０１４１】
このように、本発明の実施の形態における第３の実施例によれば、位置情報抽出部３７０を設けることによって、外部端末に画像ファイルを送信する際において、送信する画像ファイルに付加された位置情報を変換することができる。なお、ここでは、一例として、外部装置に画像ファイルを送信する際にその画像ファイル付加される位置情報を変換する例について示したが、位置情報を変換するタイミングはこれに限られるものではない。
【０１４２】
このように、本発明の実施の形態によれば、位置情報変換部３３０は、画像ファイルに付加する位置情報の示す位置が位置情報変換領域内を示す場合には、その位置情報が示す位置とは異なる位置を示す位置情報に変換することができる。これにより、撮像画像を利用する際に個人情報に関する位置情報が他人に知られることを防止することができる。
【０１４３】
なお、本発明の実施の形態では、ＧＰＳ信号に基づいて位置情報を算出する例について説明したが、他の位置情報取得方法により位置情報を取得するようにしてもよい。例えば、周囲に存在する無線ＬＡＮ（Local Area Network）によるアクセスポイント情報を用いて位置情報を導き出し、この位置情報を用いるようにしてもよい。
【０１４４】
また、本発明の実施の形態では、撮像装置を例にして説明したが、撮像部を備える携帯電話機、ＰＣ（Personal Computer：パーソナルコンピュータ）等のカメラ機能を有する機器等の撮像装置に本発明の実施の形態を適用することができる。
【０１４５】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【０１４６】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【図面の簡単な説明】
【０１４７】
【図１】本発明の実施の形態における撮像装置の一構成例を示すブロック図である。
【図２】本発明の実施の形態における撮像装置１００の第１の実施例の撮像時における機能構成を示すブロック図である。
【図３】本発明の実施の形態の撮像装置１００における位置情報変換領域の設定例に関する概略図である。
【図４】本発明の実施の形態における撮像装置１００の第１の実施例における記録制御部３４０よって生成される静止画像ファイル５００のファイル構造を示す概略図である。
【図５】本発明の実施の形態における撮像装置１００の第１の実施例における静止画像ファイル５００のファイル構造の一例を示す図である。
【図６】本発明の実施の形態における撮像装置１００の第１の実施例の静止画像ファイル５００におけるＧＰＳ情報５５０の構造を示す図である。
【図７】本発明の実施の形態における位置情報５１１の領域に保持する位置情報のデータ形式を例示する図である。
【図８】本発明の実施の形態における位置情報変換部３３０により規定される拡張領域４５０を示す図である。
【図９】本発明の実施の形態における撮像装置１００によって生成される動画ファイルのデータ構造を示す概略図である。
【図１０】ＤＶＤ−Ｖｉｄｅｏ規格によるディスクのデータ構造を示す図である。
【図１１】ビデオオブジェクトセット（ＶＯＢＳ）の構成要素を示す図である。
【図１２】本発明の実施の形態における追加記録情報（ＡＲＩ＿ＰＣＫ）のデータ構造を示す図である。
【図１３】本発明の実施の形態における撮像装置１００の撮像時における位置情報変換処理の処理手順例を示すフローチャートである。
【図１４】本発明の実施の形態における撮像装置１００の第２の実施例の撮像時における機能構成例を示すブロック図である。
【図１５】本発明の実施の形態における撮像装置１００の第２の実施例における静止画像ファイル５００のファイル構造を示す概略図である。
【図１６】本発明の実施の形態における撮像装置１００の第２の実施例における静止画像ファイル５００のファイル構造の一例を示す図である。
【図１７】本発明の実施の形態の撮像装置１００の第２の実施例における暗号化処理部３６０により生成される位置情報に関する対応表の一例を示す図である。
【図１８】本発明の実施の形態の撮像装置１００の第２の実施例における暗号鍵による暗号化処理の一例を示す図である。
【図１９】本発明の実施の形態の撮像装置１００の第２の実施例における動画ファイル６００のファイル構造を示す概略図である。
【図２０】本発明の実施の形態における撮像装置１００の第２の実施例の暗号化された位置情報の復号処理時における機能構成例を示すブロック図である。
【図２１】本発明の実施の形態における撮像装置１００の第３の実施例の機能構成例を示すブロック図である。
【図２２】本発明の実施の形態における撮像装置１００の第３の実施例における位置情報変換処理の処理手順例を示すフローチャートである。
【符号の説明】
【０１４８】
１００  撮像装置
１１０  撮像データ生成部
１１１  光学レンズ
１１２  撮像素子
１１３  画像信号処理部
１２０  撮像制御部
１３０  画像入出力インターフェース
１４０  表示部
１５０  音声入出力インターフェース
１６０  音声処理部
１７０  センサ
１７１  位置情報取得部
１８０  ＲＡＭ
１９０  ＲＯＭ
２１０  媒体制御部
２２０  記録媒体
２３０  通信部
２３１  送信制御部
２４０  操作受付部
２４１  位置情報変換領域受付部
２４２  シャッターボタン
２４３  パスワード受付部
２４４  位置情報表示受付部
２４５  ファイル送信受付部
３００  プロセッサ
３１０  位置情報変換領域保持部
３２０  領域判定部
３３０  位置情報変換部
３３１、３３２  信号線
３４０  記録制御部
３５０  位置情報履歴保持部
３６０  暗号化処理部
３６１  復号情報保持部
３７０  位置情報抽出部
３７１  暗号化位置情報抽出部
３８０  復号処理部
３９０  表示制御部
【図１】
2010045699.tif 000003
【図２】
2010045699.tif 000004
【図４】
2010045699.tif 000005
【図５】
2010045699.tif 000006
【図６】
2010045699.tif 000007
【図７】
2010045699.tif 000008
【図８】
2010045699.tif 000009
【図９】
2010045699.tif 000010
【図１０】
2010045699.tif 000011
【図１１】
2010045699.tif 000012
【図１２】
2010045699.tif 000013
【図１３】
2010045699.tif 000014
【図１４】
2010045699.tif 000015
【図１５】
2010045699.tif 000016
【図１６】
2010045699.tif 000017
【図１７】
2010045699.tif 000018
【図１８】
2010045699.tif 000019
【図１９】
2010045699.tif 000020
【図２０】
2010045699.tif 000021
【図２１】
2010045699.tif 000022
【図２２】
2010045699.tif 000023
【図３】
2010045699.tif 000024